(57)【特許請求の範囲】
【請求項１】
エスカレータのステップに形成されたクリートの溝部及びライザーの溝部を清掃する清掃体と、この清掃体を保持する保持部材と、この保持部材が取り付けられ、作業者が持つことが可能な長尺の棒状体とを備えたエスカレータのステップ清掃装置において、
上記清掃体は、それぞれ不織布を成型加工した複数の不織布加工体から成り、
上記不織布加工体のそれぞれは、上記クリートの溝部及び上記ライザーの溝部に適合する幅寸法に形成され正面視で下方に向かうに従って細くなる先細形状に形成された下部形状部と、この下部形状部に連設され、上記クリートの溝部及び上記ライザーの溝部の清掃が可能な形状に形成された上部形状部とを有し、
上記不織布加工体のそれぞれを、上記クリートの溝部及び上記ライザーの溝部のピッチに合わせて等間隔に並設させ、
上記清掃体の上記複数の不織布加工体のそれぞれを同一形状に形成し、これらの不織布加工体の上記下部形状部を正面視で略三角形状に形成し、上記上部形状部を正面視で略半円形状に形成したことを特徴とするエスカレータのステップ清掃装置。
【請求項２】
請求項１に記載のエスカレータのステップ清掃装置において、
上記保持部材は、
上記棒状体の下端に固定され、上記清掃体の上記複数の不織布加工体の挿入を可能にする開口を下端に有する枠体と、
この枠体に形成した穴、及び上記清掃体の上記複数の不織布加工体のそれぞれに形成した穴に挿入されるシャフトを有し、上記枠体に固定されるシャフト体と、
このシャフト体を上記枠体に締結する締結具とを含むことを特徴とするエスカレータのステップ清掃装置。
【請求項３】
請求項２に記載のエスカレータのステップ清掃装置において、
上記枠体は、一方の側面部及び他方の側面部と、これらの両側面部を連結する上面部とを有する正面視コ字形状から成り、
上記枠体の上記一方の側面部と上記他方の側面部のそれぞれに、第１穴と第２穴とを形成し、
上記清掃体の上記不織布加工体のそれぞれに、上記枠体の上記一方の側面部に形成した上記第１穴、及び上記他方の側面部に形成した上記第１穴に適合する第１穴と、上記枠体の上記一方の側面部に形成した上記第２穴、及び上記他方の側面部に形成した上記第２穴に適合する第２穴を形成し、
上記シャフト体は、
上記枠体の上記一方の側面部に形成した上記第１穴と、上記他方の側面部に形成した上記第１穴と、上記清掃体の上記不織布加工体に形成した上記第１穴のそれぞれに挿通可能に形成され、上記枠体の上記一方の側面部から突出する端部にねじ部を有する第１シャフトと、
上記枠体の上記一方の側面部に形成した上記第２穴と、上記他方の側面部に形成した上記第２穴と、上記清掃体の上記不織布加工体に形成した上記第２穴のそれぞれに挿通可能に形成され、上記枠体の上記一方の側面部から突出する端部にねじ部を有する第２シャフトと、
上記枠体の上記他方の側面部側に位置する上記第１シャフトの端部と、上記枠体の上記他方の側面部側に位置する上記第２シャフトの端部とが固定され、上記枠体の上記他方の側面部に当接するように配置されるプレートとを含み、
上記締結具は、
上記第１シャフトの上記ねじ部に螺合して、上記第１シャフトを上記枠体の上記一方の側面部に締結する第１締結具と、
上記第２シャフトの上記ねじ部に螺合して、上記第２シャフトを上記枠体の上記一方の側面部に締結する第２締結具とを含むことを特徴とするエスカレータのステップ清掃装置。
【請求項４】
請求項２または３に記載のエスカレータのステップ清掃装置において、
上記枠体の一方の側面部の下端部と、上記枠体の上記他方の側面部の下端部のそれぞれを、上記不織布加工体の上記下部形状部よりも小さな形状の下方に向かうに従って細くなる先細形状に形成したことを特徴とするエスカレータのステップ清掃装置。
【発明の詳細な説明】
【技術分野】
【０００１】
本発明は、エスカレータのステップに形成されたクリートの溝部及びライザーの溝部の堆積物を清掃するエスカレータのステップ清掃装置に関する。
【背景技術】
【０００２】
この種の従来技術として特許文献１に示されるものがある。この従来技術は、エスカレータのステップに形成されたクリートの溝部及びライザーの溝部に堆積した塵埃等の堆積物を清掃する清掃体と、この清掃体を保持する保持部材と、この保持部材が取り付けられ、作業者が持つことが可能な長尺の持ち手、すなわち棒状体とを備えた構成となっている。清掃体は、硬質スポンジなどの弾性体から成り、ステップの上述した溝部の形状と同一かあるいは近似した形状の凹凸面を有している。
【先行技術文献】
【特許文献】
【０００３】
【特許文献１】特開平６−２９８４７９号公報
【発明の概要】
【発明が解決しようとする課題】
【０００４】
上述した従来技術は、清掃時には清掃体の凹凸面が溝部に対して略垂直となるように棒状体を保持しながら清掃することが必要になる。このように凹凸面を溝部に対して略垂直に保たないと所望の清掃効果を得られなくなる。したがって、上述した従来技術では、清掃に際しての棒状体の持ち方に制約を受け、清掃作業の作業能率の向上を見込めない問題がある。
【０００５】
本発明は、上述した従来技術における実状からなされたもので、その目的は、清掃時の棒状体の持ち方に対する自由度を大きくすることができるエスカレータのステップ清掃装置を提供することにある。
【課題を解決するための手段】
【０００６】
上記目的を達成するために、本発明に係るエスカレータのステップ清掃装置は、エスカレータのステップに形成されたクリートの溝部及びライザーの溝部を清掃する清掃体と、この清掃体を保持する保持部材と、この保持部材が取り付けられ、作業者が持つことが可能な長尺の棒状体とを備えたエスカレータのステップ清掃装置において、上記清掃体は、それぞれ不織布を成型加工した複数の不織布加工体から成り、上記不織布加工体のそれぞれは、上記クリートの溝部及び上記ライザーの溝部に適合する幅寸法に形成され正面視で下方に向かうに従って細くなる先細形状に形成された下部形状部と、この下部形状部に連設され、上記クリートの溝部及び上記ライザーの溝部の清掃が可能な形状に形成された上部形状部とを有し、上記不織布加工体のそれぞれを、上記クリートの溝部及び上記ライザーの溝部のピッチに合わせて等間隔に並設させ、上記清掃体の上記複数の不織布加工体のそれぞれを同一形状に形成し、これらの不織布加工体の上記下部形状部を正面視で略三角形状に形成し、上記上部形状部を正面視で略半円形状に形成したことを特徴としている。
【０００７】
本発明に備えられる清掃体を構成する不織布加工体の下部形状部及び上部形状部の表面には、多数の繊維の切断部が露出する。これらの繊維の切断部のエッジがクリートの溝部及びライザーの溝部の堆積物を引っ掻けることにより、堆積物を動かし捕集することができる。すなわち本発明は、清掃体を構成する不織布加工体の下部形状部及び上部形状部によって溝部の清掃を行うことができる。したがって、棒状体を持った作業者が、例えば棒状体を立てるようにして、あるいは傾斜させるようにして、ステップのクリートの溝部のそれぞれに清掃体の複数の不織布加工体のそれぞれの下部形状部、あるいは上部形状部を挿入し、棒状体をクリートに沿って動かすことによって、クリートの溝部の底部及び側面のそれぞれを不織布加工体の下部形状部、あるいは上部形状部のそれぞれの表面で清掃することができる。また、棒状体を立てるようにして、あるいは傾斜させるようにして、不織布加工体のそれぞれの上部形状部、あるいは下部形状部を該当するライザーの溝部のそれぞれに挿入し、不織布加工体それぞれの上部形状部、あるいは下部形状部のそれぞれの表面でライザーの複数の溝部の底部及び側面のそれぞれを清掃することができる。また、棒状体を少し傾斜させるようにして、クリートとライザーの噛み合い部分に不織布加工体の下部形状部の尖った下端を挿入して、これらのクリートとライザーの噛み合い部分を下部形状部の表面で清掃することができる。すなわち本発明は、清掃時の棒状体の持ち方に対する自由度を大きく確保しながら、クリートの溝部とライザーの溝部を清掃することができる。また本発明は、ステップのクリートの溝部あるいはライザーの溝部を清掃体の上部形状部で清掃する際には、溝部に対する棒状体の傾斜角度を多少変化させても、略半円状の上部形状部の側面と溝部との間で略一定の接触面積を確保できる。これにより、安定した清掃機能を確保することができる。
【０００８】
また本発明は、上記発明において、上記保持部材は、上記棒状体の下端に固定され、上記清掃体の上記複数の不織布加工体の挿入を可能にする開口を下端に有する枠体と、この枠体に形成した穴、及び上記清掃体の上記複数の不織布加工体のそれぞれに形成した穴に挿入されるシャフトを有し、上記枠体に固定されるシャフト体と、このシャフト体を上記枠体に締結する締結具とを含むことを特徴としている。
【０００９】
このように構成した本発明は、清掃体を保持部材に保持させる際には、枠体の開口から複数の不織布加工体を枠体内に挿入し、この状態でシャフト体のシャフトを枠体の穴と複数の不織布加工体の穴のそれぞれに挿入し、締結具によってシャフト体を枠体に締結することによって、複数の不織布加工体から成る清掃体を容易に保持部材に保持させることができる。また逆に、清掃体を保持部材から取り外す際には、締結具による締結を解いて、シャフト体のシャフトを枠体の穴及び不織布加工体のそれぞれの穴から抜き取ることによって、複数の不織布加工体から成る清掃体を容易に保持部材から取り外すことができる。
【００１０】
また本発明は、上記発明において、上記枠体は、一方の側面部及び他方の側面部と、これらの両側面部を連結する上面部とを有する正面視コ字形状から成り、上記枠体の上記一方の側面部と上記他方の側面部のそれぞれに、第１穴と第２穴とを形成し、上記清掃体の上記不織布加工体のそれぞれに、上記枠体の上記一方の側面部に形成した上記第１穴、及び上記他方の側面部に形成した上記第１穴に適合する第１穴と、上記枠体の上記一方の側面部に形成した上記第２穴、及び上記他方の側面部に形成した上記第２穴に適合する第２穴を形成し、上記シャフト体は、上記枠体の上記一方の側面部に形成した上記第１穴と、上記他方の側面部に形成した上記第１穴と、上記清掃体の上記不織布加工体に形成した上記第１穴のそれぞれに挿通可能に形成され、上記枠体の上記一方の側面部から突出する端部にねじ部を有する第１シャフトと、上記枠体の上記一方の側面部に形成した上記第２穴と、上記他方の側面部に形成した上記第２穴と、上記清掃体の上記不織布加工体に形成した上記第２穴のそれぞれに挿通可能に形成され、上記枠体の上記一方の側面部から突出する端部にねじ部を有する第２シャフトと、上記枠体の上記他方の側面部側に位置する上記第１シャフトの端部と、上記枠体の上記他方の側面部側に位置する上記第２シャフトの端部とが固定され、上記枠体の上記他方の側面部に当接するように配置されるプレートとを含み、上記締結具は、上記第１シャフトの上記ねじ部に螺合して、上記第１シャフトを上記枠体の上記一方の側面部に締結する第１締結具と、上記第２シャフトの上記ねじ部に螺合して、上記第２シャフトを上記枠体の上記一方の側面部に締結する第２締結具とを含むことを特徴としている。
【００１１】
このように構成した本発明は、清掃時に、ステップのクリートの溝部、あるいはライザーの溝部と清掃体の複数の不織布加工体との摩擦によって複数の不織布加工体に回転力が与えられた際でも、第１締結具によって枠体に締結されたシャフト体の第１シャフトと、第２締結具によって枠体に締結されたシャフト体の第２シャフトとによって、複数の不織布加工体のそれぞれが回転しないように保持される。これによって安定した清掃を行うことができる。
【００１４】
また本発明は、上記発明において、上記枠体の一方の側面部の下端部と、上記枠体の上記他方の側面部の下端部のそれぞれを、上記不織布加工体の上記下部形状部よりも小さな形状の下方に向かうに従って細くなる先細形状に形成したことを特徴としている。
【００１５】
このように構成した本発明は、枠体の一方の側面部から外側に突出する清掃体の複数の不織布加工体の部分、及び枠体の他方の側面部から外側に突出する清掃体の複数の不織布加工体の部分のそれぞれの突出寸法を略一定に形成することができる。このように突出寸法を略一定に形成すれば、複数の不織布加工体それぞれの少なくとも下部形状部の全周部分を溝部の清掃に活用することができる。
【発明の効果】
【００１６】
本発明は、清掃体が、それぞれ不織布を成型加工した複数の不織布加工体から成り、不織布加工体のそれぞれは、クリートの溝部及びライザーの溝部に適合する幅寸法に形成され正面視で下方に向かうに従って細くなる先細形状に形成された下部形状部と、この下部形状部に連設され、クリートの溝部及びライザーの溝部の清掃が可能な形状に形成された上部形状部とを有し、不織布加工体のそれぞれを、ステップに形成されたクリートの溝部及びライザーの溝部のピッチに合わせて等間隔に並設させた構成にしてある。これにより、ステップのクリートの溝部及びライザーの溝部に当接する不織布加工体の下部形状部の表面、及び上部形状部の表面に繊維の切断部を露出させることができる。したがって清掃時には、棒状体の持ち方に対する自由度を大きく確保しながら、不織布加工体の下部形状部の表面、及び上部形状部の表面のそれぞれに露出した繊維の切断部のエッジで、ステップのクリートの溝部及びライザーの溝部に堆積した塵埃等の堆積物の清掃を行うことができる。これにより、ステップに形成されたクリートの溝部及びライザーの溝部の清掃作業の作業能率を従来よりも向上させることができる。また本発明は、清掃体の複数の不織布加工体のそれぞれを同一形状に形成し、これらの不織布加工体の下部形状部を正面視で略三角形状に形成し、上部形状部を正面視で略半円形状に形成した構成にしてある。この構成に伴って本発明は、ステップのクリートの溝部あるいはライザーの溝部を清掃体の上部形状部で清掃する際には、溝部に対する棒状体の傾斜角度を多少変化させても、略半円状の上部形状部の側面と溝部との間で略一定の接触面積を確保できる。これにより、安定した清掃機能を確保することができる。
【図面の簡単な説明】
【００１７】
【図１】本発明に係るエスカレータのステップ清掃装置の第１実施形態を示す図で、（ａ）図は正面図、（ｂ）図は側面図である。
【図２】第１実施形態に備えられる棒状体、及び保持部材を構成する枠体を示す図で、（ａ）図は正面図、（ｂ）図は側面図である。
【図３】第１実施形態に備えられる保持部材を構成するシャフト体を示す側面図である。
【図４】第１実施形態に備えられる清掃体を構成する不織布加工体を示す図で、（ａ）図は斜視図、（ｂ）図は拡大縦断面図である。
【図５】第１実施形態に備えられる清掃体を構成する不織布加工体とは異なる織布加工体によってクリートの溝部を清掃する状態を示す図で、（ａ）図は織布加工体を立てて清掃する場合を示す図、（ｂ）図は織布加工体を寝かせて清掃する場合を示す図である。
【図６】第１実施形態に係るステップ清掃装置によってステップのクリートの溝部を清掃する状態を示す要部正面図である。
【図７】第１実施形態によってステップのライザーの溝部を清掃する状態を示す側面図である。
【図８】第１実施形態によってステップのクリートとライザーとの噛みあい部分を清掃する状態を示す側面図である。
【図９】第１実施形態を寝かせてステップのクリートの溝部を清掃する状態を示す側面図である。
【図１０】図９に示す状態よりもクリートに対する棒状体の傾斜角度を大きくしてステップのクリートの溝部を清掃する状態を示す側面図である。
【図１１】本発明の第２実施形態を示す図で、（ａ）図は正面図、（ｂ）図は側面図である。
【発明を実施するための形態】
【００１８】
以下、本発明に係るエスカレータのステップ清掃装置の実施の形態を図に基づいて説明する。
【００１９】
図１に示すように、本発明の第１実施形態に係るエスカレータのステップ清掃装置は、図７等に示すエスカレータのステップ２０のクリート１０の溝部１０ａ及びライザー１３の溝部１３ａを清掃する清掃体１と、この清掃体１を保持する保持部材２と、この保持部材２が取り付けられ、作業者がもつことが可能な長尺の棒状体３とを備えている。棒状体３の上側部分には、作業者が把持可能なグリップ４を設けてあり、このグリップ４には滑り止めを形成してある。
【００２０】
清掃体１は、それぞれ不織布を板状に成形加工した複数の不織布加工体５から成っている。この不織布加工体５の枚数は、クリート１０の溝部１０ａ及びライザー１３の溝部１３ａにその全ての数の不織布加工体５を容易に挿入可能と考えられる最大枚数である１３枚に設定してある。なお、最大枚数１３枚は、本願発明者らが不織布加工体５の設置枚数を種々変えて、溝部１０ａ，１３ａに挿入することを試みた結果の限界値である。
【００２１】
図１及び図４に示すように、不織布加工体５のそれぞれは、クリート１０の溝部１０ａ及びライザー１３の溝部１３ａに適合する幅寸法、例えば溝部１０ａ，１３ａの幅寸法よりもわずかに小さな幅寸法に設定してある。また、図１の（ｂ）図、及び図４の（ｂ）図に示すように、不織布加工体５のそれぞれは、同一形状に形成してあり、正面視で下方に向かうに従って細くなる先細形状、例えば略三角形状に形成された下部形状部５ａと、この下部形状部５ａに連設され、クリート１０の溝部１０ａ及びライザー１３の溝部１３ａの清掃が可能な上部形状部５ｂとを有している。上部形状部５ｂは、正面視の側部を曲線形状、例えば略半円形状に形成してある。また、不織布加工体５のそれぞれは、上下方向に同じ径寸法の第１穴５ｃと第２穴５ｄを形成してあり、これらの第１穴５ｃと第２穴５ｄの間隔をＳに設定してある。
【００２２】
図５に示すように、清掃体１を例えば第１実施形態における不織布加工体５とは異なる織布加工体１２とした場合、同図５の（ａ）図に示すように、織布加工体５を立てるようにして清掃するときには、クリート１０の溝部１０ａに堆積した塵埃等の堆積物１１を、織布加工体１２の繊維１２ａの切断部１２ｂのエッジによって引っ掻けて動かし、捕集することができる。しかし、同図５の（ｂ）図に示すように、織布加工体５を寝かせるようにして清掃するときには、織布加工体１２の繊維１２ａの切断部１２ｂ以外の部分が溝部１０ａの堆積物１１に押し付けられるようにして接触するので、堆積物１１を引っ掻けることができず、望ましい清掃を行うことができない。
【００２３】
これに対して、第１実施形態に備えられる清掃体１の不織布加工体５は、図４の（ｂ）図に示すように、下部形状部５ａ及び上部形状部５ｂのそれぞれの表面には、多数の繊維の切断部が露出する。これらの繊維の切断部のエッジがクリート１０の溝部１０ａ、及びライザー１３の溝部１３ａの堆積物１１を引っ掻けることにより、堆積物１１を動かし、捕集することができる。すなわち第１実施形態にあっては、清掃体１の複数の不織布加工体５のそれぞれの下部形状部５ａ及び上部形状部５ｂの表面に露出する繊維の切断部のエッジによって、溝部１０ａ，１３ａを確実に清掃することができる。
【００２４】
また第１実施形態に備えられる保持部材２は、図１〜３に示すように、棒状体３の下端に固定され、清掃体１の複数の不織布加工体５の挿入を可能にする開口６ａを有する枠体６と、この枠体６に固定されるシャフト体７と、このシャフト体７を枠体６に締結する締結具とを含んでいる。
【００２５】
枠体６は、一方の側面部６ｂ及び他方の側面部６ｃと、これらの両側面部６ｂ，６ｃを連結する上面部６ｄとを有する正面視コ字形状から成っている。この枠体６の一方の側面部６ｂと他方の側面部６ｃのそれぞれに、上下方向に設けられる第１穴６ｅと第２穴６ｆを形成してある。これらの第１穴６ｅと第２穴６ｆのそれぞれの径寸法は、例えば清掃体１の不織布加工体１に形成した第１穴５ｃと第２穴５ｄの径寸法と同等に設定してあり、第１穴６ｅと第２穴６ｆの間隔は、第１穴５ｃと第２穴５ｄのそれぞれが適合するように、第１穴５ｃと第２穴５ｄの間隔と同じ間隔Ｓにしてある。
【００２６】
また図１の（ｂ）図及び図２の（ｂ）図に示すように、枠体６の一方の側面部６ｂの下端部と、他方の側面部６ｃの下端部のそれぞれを、下方に向かうに従って細くなる先細形状、例えば清掃体１の不織布加工体５の下部形状部５ａよりも小さな略三角形状に形成してある。
【００２７】
シャフト体７は、図１の（ａ）図及び図３に示すように、第１シャフト７ａと第２シャフト７ｃとプレート７ｅとを含んでいる。
【００２８】
第１シャフト７ａは、枠体６の一方の側面部６ｂに形成した第１穴６ｅと、他方の側面部６ｃに形成した第１穴６ｅと、清掃体１の不織布加工体５に形成した第１穴５ｃのそれぞれに挿入可能に形成され、枠体６の一方の側面部６ｂから突出する端部にねじ部７ｂを有している。
【００２９】
第２シャフト７ｃは、枠体６の一方の側面部６ｂに形成した第２穴６ｆと、他方の側面部６ｃに形成した第２穴６ｆと、清掃体１の不織布加工体５に形成した第２穴５ｄのそれぞれに挿入可能に形成され、枠体６の一方の側面部６ｂから突出する端部にねじ部７ｄを有している。
【００３０】
プレート７ｅは、枠体６の他方の側面部６ｃ側に位置する第１シャフト７ａの端部と、枠体６の他方の側面部６ｃ側に位置する第２シャフト７ｃの端部とが固定され、枠体６の他方の側面部６ｃに当接するように配置してある。
【００３１】
また、この第１実施形態に備えられ、シャフト体７を枠体６に締結する上述の締結具は、図１の（ａ）図に示すように、シャフト体７の第１シャフト７ａのねじ部７ｂに螺合して、第１シャフト７ａを、枠体６の一方の側面部６ｂに締結する第１締結具、すなわち第１ナット８と、第２シャフト７ｃを、枠体６の一方の側面部６ｂに締結する第２締結具、すなわち第２ナット９とを含んでいる。
【００３２】
このように構成した第１実施形態に係るステップ清掃装置を用いて、ステップ２０のクリート１０の溝部１０ａ及びライザー１３の溝部１３ａを清掃するに際しては、棒状体３のグリップ４を把持した作業者が、例えば棒状体３を立てるようにして、あるいは傾斜させるようにして、図６に例示するようにステップのクリート１０の溝部１０ａのそれぞれに、清掃体１の複数の不織布加工体５の下部形状部５ａ、あるいは上部形状部５ｂのそれぞれを挿入する。この状態で棒状体３をクリート１０に沿って動かして、クリート１０の溝部１０ａのそれぞれの底部及び側面を不織布加工体５の下部形状部５ａ、あるいは上部形状部５ｂのそれぞれの表面で清掃する。また、棒状体３を立てるようにして、あるいは傾斜させるようにして、図７に例示するように、不織布加工体５のそれぞれの上部形状部５ｂ、あるいは下部形状部５ａを該当するライザー１３の溝部１３ａに挿入する。この状態で棒状体３をライザー１３に沿って上下に動かして、ライザー１３の溝部１３ａの底部及び側面のそれぞれを不織布加工体５の上部形状部５ｂ、あるいは下部形状部５ａのそれぞれの表面で清掃する。
【００３３】
ライザー１３とクリート１０の噛み合い部分を清掃する際には、図８に示すように、棒状体３を傾斜させて、清掃体１の不織布加工体５の下部形状部５ａの尖った下端を噛み合い部分に挿入することによって容易に清掃することができる。
【００３４】
なお、例えば棒状体３を傾斜させるようにして清掃体１の上部形状部５ｂの表面でクリート１０の溝部１０ａの清掃を行うに際しては、図９に示すクリート１０に対する棒状体３の傾斜角度ｂと、図１０に示す傾斜角度ｃのように多少傾斜角度を変化させても、略半円状の上部形状部５ｂの側面と溝部１０ａとの間で、図９，１０の寸法ａに相応する略一定の接触面積を確保することができる。これにより安定した清掃機能を確保することができる。このことは、清掃体１の上部形状部５ｂの側面でライザー１３の溝部１３ａを清掃するときであっても同様である。
【００３５】
このような構成の第１実施形態の製作に際して、清掃体１を保持部材２に保持させる際には、枠体６の開口６ａから複数の不織布加工体５を枠体６内に挿入し、この状態でシャフト体７の第１シャフト７ａ、第２シャフト７ｃを枠体６の第１穴６ｅ、第２穴６ｆのそれぞれと、複数の不織布加工体５の第１穴５ｃ、第２穴５ｄのそれぞれとに挿入し、第１ナット８、第２ナット９のそれぞれによってシャフト体７を枠体６に締結することによって、複数の不織布加工体５から成る清掃体１を容易に保持部材２に保持させることができる。
【００３６】
また逆に、不織布加工体５が摩耗したときなどであって、清掃体１を保持部材２から取り外す際には、第１ナット８及び第２ナット９による締結を解いて、シャフト体７の第１シャフト７ａ、第２シャフト７ｃを枠体６の第１穴６ｅ、第２穴６ｆ、不織布加工体５の第１穴５ｃ、第２穴５ｄのそれぞれから抜き取ることによって、複数の不織布加工体５から成る清掃体１を容易に保持部材２から取り外すことができる。
【００３７】
このように構成した第１実施形態によれば、清掃時の棒状体３の持ち方に対する自由度を大きく確保しながら、ステップ２０に形成されたクリート１０の溝部１０ａとライザー１３の溝部１３ａを清掃することができ、これらのクリート１０の溝部１０ａとライザー１３の溝部１３ａの清掃作業の作業能率を向上させることができる。
【００３８】
また本実施形態は、ステップ２０のクリート１０の溝部１０ａ、あるいはライザー１３の溝部１３ａと清掃体１との摩擦力によって清掃体１の複数の不織布加工体５に回転力が与えられた際でも、第１ナット８によって枠体６に締結されたシャフト体７の第１シャフト７ａと、第２ナット９によって枠体６に締結されたシャフト体７の第２シャフト７ｂとによって、複数の不織布加工体５のそれぞれが回転しないように保持される。これにより安定した清掃を行うことができる。
【００３９】
また本実施形態は、枠体６の一方の側面部６ｂの下端部と、枠体６の他方の側面部６ｃの下端部のそれぞれを、不織布加工体５の下部形状部５ａよりも小さな形状の先細形状に形成してある。これにより、枠体６の一方の側面部６ｂから外側に突出する清掃体１の不織布加工体５の部分、及び枠体６の他方の側面部６ｃから外側に突出する清掃体１の不織布加工体５の部分のそれぞれの寸法を略一定寸法に形成することができる。このように突出寸法を略一定に形成すれば、複数の不織布加工体５のそれぞれの少なくとも下部形状部５ａの全周の表面をクリート１０の溝部１０ａ及びライザー１３の溝部１３ａの清掃に活用することができる。
【００４０】
図１１は本発明の第２実施形態を示す図で、（ａ）図は正面図、（ｂ）図は側面図である。
【００４１】
この図１１に示す第２実施形態は、清掃体１を構成する不織布加工体５の枚数を第１実施形態における枚数である１３枚の倍である２６枚に設定してある。この第２実施形態は、棒状体３に取り付ける保持部材３を構成する枠体３１を第１実施形態における枠体６の略倍の大きさに設定してあり、シャフト体３３を構成するプレート３３ｅに固定される第１シャフト３３ａ、第２シャフト３３ｃの長さ寸法を、第１実施形態におけるシャフト体７の第１シャフト７ａ、第２シャフト７ｃの長さ寸法の略倍の長さ寸法に設定してある。第１シャフト３３ａのねじ部３３ｂに螺合して、この第１シャフト３３ａを枠体３１に締結する第１ナット８、第２シャフト３３ｃのねじ部３３ｄに螺合して、この第２シャフト３３ｃを枠体３１に締結する第２ナット９は、例えば第１実施形態におけるのと同等のものである。
【００４２】
また、この第２実施形態は、枠体３１の内部に仕切板３２を設けてある。この仕切板３２は、清掃体１の２６枚の不織布加工体５を１３枚ずつに仕切る仕切部３２ａと、この仕切部３２ａに連設され枠体３１に固定される上面部３２ｂとを有し、正面視がＬ字形状となっている。この仕切板３２ａには、シャフト体３３の第１シャフト３３ａが挿入可能な第１穴３２ｃと、第２シャフト３３ｃが挿入可能な第２穴３２ｄとを形成してある。その他の構成は、上述した第１実施形態と同等である。
【００４３】
このように構成した第２実施形態は、第１実施形態と同等の作用効果が得られる他、枠体３１に取り付けた仕切板３２の仕切部３２ａによって、枠体３１に挿入される清掃体１の２６枚の不織布加工体５を、クリート１０の溝部１０ａ及びライザー１３の溝部１３ａへ安定した挿入が可能と考えられる最大枚数である上述の１３枚ずつに分割させてあるので、２６枚の不織布加工体５のクリート１０の溝部１０ａ及びライザー１３の溝部１３ａへの挿入が容易であるとともに、第１実施形態に比べて２倍の清掃能力を確保できる。したがって、ステップ２０の幅寸法が比較的大きいサイズの場合などに好適である。
【符号の説明】
【００４４】
１    清掃体
２    保持部材
３    棒状体
５    不織布加工体
５ａ  下部形状部
５ｂ  上部形状部
５ｃ  第１穴
５ｄ  第２穴
６    枠体
６ａ  開口
６ｂ  一方の側面部
６ｃ  他方の側面部
６ｄ  上面部
６ｅ  第１穴
６ｆ  第２穴
７    シャフト体
７ａ  第１シャフト
７ｂ  ねじ部
７ｃ  第２シャフト
７ｄ  ねじ部
７ｅ  プレート
８    第１ナット（第１締結具）
９    第２ナット（第２締結具）
１０    クリート
１０ａ  溝部
１１    堆積物
１３    ライザー
１３ａ  溝部
２０    ステップ
３０    保持部材
３１    枠体
３２    仕切板
３２ａ  仕切部
３２ｂ  上面部
３２ｃ  第１穴
３２ｄ  第２穴
３３    シャフト体
３３ａ  第１シャフト
３３ｂ  ねじ部
３３ｃ  第２シャフト
３３ｄ  ねじ部
３３ｅ  プレート
【図１】
0005551651.tif 000002
【図２】
0005551651.tif 000003
【図３】
0005551651.tif 000004
【図５】
0005551651.tif 000005
【図６】
0005551651.tif 000006
【図７】
0005551651.tif 000007
【図８】
0005551651.tif 000008
【図９】
0005551651.tif 000009
【図１０】
0005551651.tif 000010
【図１１】
0005551651.tif 000011
【図４】
0005551651.tif 000012